(57)【要約】【目的】主画像に関連した画像を関連の度合いを考慮して表示する。【構成】表示画面の表示領域70のほぼ中心の比較的広い領域75に主画像が表示される。表示領域70にはカテゴリ領域71〜74が規定されており，主画像のカテゴリと同じカテゴリをもつ関連画像が，領域71〜74のうち，対応する領域に配置される。また，関連度の大きい関連画像ほど主画像に近くなるように表示される。【選択図】図12
2007279174.tif 000002
【特許請求の範囲】
【請求項１】
表示画面のほぼ全体にわたって主画像を表示するように表示装置を制御する主画像表示制御手段，
上記主画像表示制御手段の制御により表示された主画像に関連する関連画像を多数駒の画像の中から見つけ出す検索手段，および
上記主画像との関連の度合いが大きいほど，上記主画像の中心から一定範囲内の関連画像表示禁止範囲を除く範囲であって上記主画像の中心近くに配置されるように，上記検索手段によって見つけられた関連画像を表示画面に表示するように上記表示装置を制御する関連画像表示制御手段，
を備えた画像表示制御装置。
【請求項２】
上記検索手段により見つけられた関連画像が，上記主画像よりも小さくなるように縮小する縮小手段をさらに備え，
上記関連画像表示制御手段が，
上記主画像との関連の度合いが大きいほど，上記関連画像表示禁止範囲を除く範囲であって上記主画像の中心近くに配置されるように，上記縮小手段によって縮小された関連画像を表示画面に表示するように上記表示装置を制御するものである，
請求項１に記載の画像表示制御装置。
【請求項３】
上記主画像および上記関連画像には少なくとも一つのカテゴリが付与されており，上記表示画面の表示領域が複数のカテゴリに対応した領域に分けられており，
上記関連画像表示制御手段が，
上記主画像との関連の度合いが大きいほど，上記関連画像表示禁止範囲を除く範囲であって上記主画像の中心近くに配置され，かつ上記検索手段によって見つけられた関連画像に付与されているカテゴリに対応するカテゴリの表示領域に上記関連画像を表示するように上記表示装置を制御するものである，
請求項１に記載の画像表示制御装置。
【請求項４】
上記関連画像表示制御手段は，
上記主画像との関連の度合いが大きいほど，上記関連画像表示禁止範囲を除く範囲であって上記主画像の中心近くに配置されるように，上記検索手段によって見つけられた関連画像を表示画面に表示するものであって，関連の度合いが同じ複数駒の関連画像については撮影日時が後の関連画像画上に重なるように少しずらして表示するように上記表示装置を制御するものである，
請求項１に記載の画像表示制御装置。
【請求項５】
主画像表示制御手段が，表示画面のほぼ全体にわたって主画像を表示するように表示装置を制御し，
検索手段が，上記主画像表示制御手段の制御により表示された主画像に関連する関連画像を多数駒の画像の中から見つけ出し，
関連画像表示制御手段が，上記主画像との関連の度合いが大きいほど，上記主画像の中心から一定範囲内の関連画像表示禁止範囲を除く範囲であって上記主画像の中心近くに配置されるように，上記検索手段によって見つけられた関連画像を表示画面に表示するように上記表示装置を制御する，
画像表示制御装置の制御方法。
【請求項６】
表示画面のほぼ全体にわたって主画像を表示するように表示装置を制御する手順，
上記表示画面に表示された主画像に関連する関連画像を多数駒の画像の中から見つけ出す手順，
上記主画像との関連の度合いが大きいほど，上記主画像の中心から一定範囲内の関連画像表示禁止範囲を除く範囲であって上記主画像の中心近くに配置されるように，見つけられた関連画像を表示画面に表示するように上記表示装置を制御する手順を画像表示制御装置のコンピュータに実行させるためのプログラム。
【発明の詳細な説明】
【技術分野】
【０００１】
この発明は，画像表示制御装置ならびにその制御方法およびそのプログラムに関する。
【背景技術】
【０００２】
多数駒の画像がある場合には，所望の画像に関連した画像を見つけたい場合がある。たとえば，アイコンの画像を人工的なもの，技術的なもの，自然なもの，モダンなものに分類し，アイコンマップを生成するものがある（特許文献１）。
【特許文献１】特開平８−３２９１３５号公報
【０００３】
しかしながら，アイコン画像の特性にもとづいて表示位置が規定されているにすぎず，所望の画像との関連については考えられていない。
【発明の開示】
【０００４】
この発明は，所望の主画像との関連の度合いを考慮して，主画像に関連した画像を表示することを目的とする。
【０００５】
この発明による画像表示制御装置は，表示画面のほぼ全体にわたって主画像を表示するように表示装置を制御する主画像表示制御手段，上記主画像表示制御手段の制御により表示された主画像に関連する関連画像を多数駒の画像の中から見つけ出す検索手段，および上記主画像との関連の度合いが大きいほど，上記主画像の中心から一定範囲内の関連画像表示禁止範囲を除く範囲であって上記主画像の中心近くに配置されるように，上記検索手段によって見つけられた関連画像を表示画面に表示するように上記表示装置を制御する関連画像表示制御手段を備えていることを特徴とする。
【０００６】
この発明は，上記画像表示制御装置に適した制御方法も提供している。すなわち，この方法は，主画像表示制御手段が，表示画面のほぼ全体にわたって主画像を表示するように表示装置を制御し，検索手段が，上記主画像表示制御手段の制御により表示された主画像に関連する関連画像を多数駒の画像の中から見つけ出し，関連画像表示制御手段が，上記主画像との関連の度合いが大きいほど，上記主画像の中心から一定範囲内の関連画像表示禁止範囲を除く範囲であって上記主画像の中心近くに配置されるように，上記検索手段によって見つけられた関連画像を表示画面に表示するように上記表示装置を制御するものである。
【０００７】
この発明は，上記制御方法を実行するためのプログラムも提供している。
【０００８】
この発明によると，表示画面のほぼ全体にわたって（表示画面の表示領域のほぼ半分の領域以上）主画像が表示される。主画像に関連する関連画像が多数駒の画像の中から見つけられる。主画像との関連の度合いが大きいほど，主画像の中心から一定範囲内の関連画像表示禁止範囲を除く範囲であって，主画像の中心近くに配置されるように，見つけられた関連画像が表示画面に表示される。主画像との関連の度合いが大きいほど主画像の中心の近くに表示されるので，閲覧者は関連画像と主画像との関連性を把握できる。主画像の中心から一定範囲内の関連画像表示禁止範囲には関連画像は表示されないので，関連画像が表示されても主画像の中心部分は閲覧できる。
【０００９】
上記検索手段により見つけられた関連画像が，上記主画像よりも小さくなるように縮小する縮小手段をさらに備えてもよい。この場合，上記関連画像表示制御手段は，上記主画像との関連の度合いが大きいほど，上記関連画像表示禁止範囲を除く範囲であって上記主画像の中心近くに配置されるように，上記縮小手段によって縮小された関連画像を表示画面に表示するように上記表示装置を制御するものとなろう。
【００１０】
上記主画像および上記関連画像には少なくとも一つのカテゴリが付与されていてもよい。この場合，上記表示画面の表示領域が複数のカテゴリに対応した領域に分けられる。そして，上記関連画像表示制御手段は，上記主画像との関連の度合いが大きいほど，上記関連画像表示禁止範囲を除く範囲であって上記主画像の中心近くに配置され，かつ上記検索手段によって見つけられた関連画像に付与されているカテゴリに対応するカテゴリの表示領域に上記関連画像を表示するように上記表示装置を制御するものとなろう。
【００１１】
上記関連画像表示制御手段は，たとえば，上記主画像との関連の度合いが大きいほど，上記関連画像表示禁止範囲を除く範囲であって上記主画像の中心近くに配置されるように，上記検索手段によって見つけられた関連画像を表示画面に表示するものであって，関連の度合いが同じ複数駒の関連画像については撮影日時が後の関連画像画上に重なるように少しずらして表示するように上記表示装置を制御するものである。
【実施例】
【００１２】
図１は，この発明の実施例を示すもので，ディジタル・スチル・カメラの背面図である。
【００１３】
ディジタル・スチル・カメラ１の背面には，ほぼ全体にわたって表示画面２が設けられている。表示画面２の右上には，上下左右に矢印が押下可能に形成されているいわゆる十字キー３が設けられている。この十字キー３の下には，モード・ダイアル４が設けられている。モード・ダイアル４によって，撮像モード，再生モード，送信モード，受信モードなどを設定することができる。
【００１４】
さらに，表示画面２の右側には，表示画面２にメニューを表示させるときにユーザによって押されるメニュー・ボタン５，ＯＫボタン６，後述するように，主画像に関連した画像を表示させるときにユーザによって押される検索ボタン７が設けられている。
【００１５】
図２は，ディジタル・スチル・カメラ１の電気的構成を示すブロック図である。
【００１６】
ディジタル・スチル・カメラ１の全体の動作は，制御回路10によって統括される。
【００１７】
シャッタ・レリーズ・ボタンのほか上述した十字キー３，モード・ダイアル４，メニュー・ボタン５，ＯＫボタン６，検索ボタン７等のボタン類からの出力信号は，制御回路10に入力する。制御回路13には，データを一時的に記憶し，かつ所定のデータ，動作プログラム等が記憶されているメモリ13が接続されている。
【００１８】
撮像モードが設定されると，撮像装置11によって被写体が撮像され，被写体像を表す画像データが得られる。画像データは，制御回路10を介して表示制御回路16に入力する。表示制御回路16によって表示装置17が制御されることにより，撮像によって得られた被写体像が表示装置17の表示画面上に表示される。
【００１９】
シャッタ・レリーズ・ボタンが押されると，上述のようにして制御回路10に入力した画像データは画像ファイルの画像データ記録領域に格納される。画像ファイルがメモリ・カード・インターフェイス18を介して，メモリ・カード19に与えられ，メモリ・カード19に記録される。
【００２０】
再生モードが設定されると，メモリ・カード19に記録されている画像ファイルが読み取られる。読み取られた画像ファイルは，メモリ・カード・インターフェイス18および制御回路10を介して表示制御回路16に入力する。表示制御回路16によって表示装置17が制御されることにより，メモリ・カード19から読み取られた画像ファイルによって表される画像が表示装置17の表示画面に表示される。
【００２１】
この実施例によるディジタル・スチル・カメラ１は，他のディジタル・スチル・カメラ等と通信することができる。送信モードが設定されると，メモリ・カード19に記録されている画像ファイルが読み取られ，メモリ・カード・インターフェイス18および制御回路10を介して通信制御回路14に与えられる。通信制御回路14によって通信回路15が制御され，メモリ・カード19から読み取られた画像ファイルが他のディジタル・スチル・カメラ等に送信される。
【００２２】
受信モードが設定されると，他のディジタル・スチル・カメラ等から送信された画像ファイルが通信回路15によって受信された画像ファイルは通信制御回路14，制御回路10およびメモリ・カード・インターフェイス18を介してメモリ・カード19に与えられ，記録される。
【００２３】
通信回路15によって，ディジタル・スチル・カメラ１の動作プログラムを受信し，メモリ13に記憶させることもできる。このようにして受信された動作プログラムにしたがって，ディジタル・スチル・カメラ１は後述の動作が行われる。
【００２４】
図３は，被写体像のカテゴリとシーンとを示している。
【００２５】
この実施例においては，撮像した被写体像にユーザがカテゴリおよびシーンを付与することができる。
【００２６】
カテゴリは，「生物」，「風景１」，「風景２」および「物」の４つが規定されている。これらのカテゴリのそれぞれのカテゴリにあったシーンが規定されている。カテゴリ「生物」の中に「人物」，「ペット」，「パーティ」のシーンが規定されている。そのほかのカテゴリについても同様にシーンが規定されている。
【００２７】
ユーザは，撮像によって得られた被写体像を見て自ら被写体像のカテゴリおよびシーンを被写体像に付与する。さらに，この実施例では，カテゴリおよびシーンに加えてシーンについての関連の度合いを付与することができる。撮像によって得られた被写体像が付与されたシーンに近いほどの関連の度合いが大きくなる。自動的にカテゴリ，シーン，関連度が付与されるようにしてもよい。
【００２８】
図４から図６は，カテゴリ，シーンおよび関連度を設定するやり方を示すもので，表示画面２に表示される設定画像の一例である。
【００２９】
再生モードが設定され，カテゴリ等を設定する被写体像が選択される。選択された被写体像が表示画面２に表示される。メニュー・ボタン５が押されると，設定画像21の下部にカテゴリ／シーン設定メニュー領域22が現れる。設定画像21の下部にはその他の設定メニュー領域23も表示されている。十字キー３の左矢印または右矢印が押されることにより，これらのメニュー領域22，23の間をカーソル（ハッチングで示している）が移動する。ＯＫボタン６が押されると，カーソル24によって指定されているメニューに応じたサブ・メニュー領域が現れる。カテゴリ／シーン設定メニュー22が選択されているときにＯＫボタン６が押されると，カテゴリ／シーン設定メニュー22の上部にカテゴリ設定メニュー30が現れる。
【００３０】
カテゴリには，上述したように「生物」，「風景１」，「風景２」，「物」がある。カテゴリ設定メニュー30にも，これらのカテゴリを設定できるように生物カテゴリ設定領域31，第１の風景設定領域32，第２の風景設定領域33，物カテゴリ設定領域34が含まれている。これらの領域31〜34の間も十字キー３の上下ボタンが押されることによりカーソル35が移動する（わかりやすくするためにカーソルの代わりにハッチングで示している）。ＯＫボタン６が押されると，領域31〜34のうち，カーソルによって指定されている領域に対応するカテゴリのシーン・メニューが現れる。
【００３１】
図５は，カテゴリのシーン・メニューが現れている設定画像22の一例である。
【００３２】
上述のように「生物」カテゴリが選択されると，その「生物」カテゴリに対応したシーン・メニュー40が現れる。シーン・メニュー40には，「生物」カテゴリに含まれる「人物」シーン，「ペット」シーン，「パーティ」シーンを設定する領域41，42，43が含まれている。十字キー３の左矢印または右矢印が押されることにより，これらの領域41，42，43の間をカーソル44（ハッチングで示す）が移動する。ＯＫボタン６が押されたときにカーソル44によって指定される領域が被写体像のシーンとされる。さらに，そのシーンの関連度が入力される。
【００３３】
図６は，関連度を設定する設定画像23の一例である。
【００３４】
カーソル44によって「生物」シーン設定領域41が指定されているときにＯＫボタンが押されたものとする。すると，「生物」シーン設定領域41の下に関連度表示領域45が現れる。関連度表示領域45は，表示画面に表示されている被写体像と設定されたシーンとの関連度を星印によって表示する領域である。十字キー３の上矢印ボタンの押下に応じて領域45内に表示される星印が増えていき，下矢印ボタンの押下に応じて星印が減る。ＯＫボタン６が押されることにより，関連度が決定する。この実施例においては，関連度は星印が一つの「１」から星印が三つの「３」までの三段階であるが，さらに詳細に規定してもよいのはいうまでもない。
【００３５】
このようにして，被写体像のカテゴリ，シーン，関連度が設定される。カテゴリ，シーンは，被写体像に一つだけではなく，複数設定することができる。そのほかのカテゴリ，シーンについても同様に設定できることは理解できよう。設定されたカテゴリ等を表すデータは，被写体像を表す画像データが格納されている画像ファイルのヘッダ記録領域に記録される。
【００３６】
図７は，画像ファイルのファイル構造（データ構造）の一例である。
【００３７】
画像ファイルには，ヘッダ記録領域と画像データ記録領域とが含まれている。
【００３８】
画像データ記録領域には，画像データが記録される。
【００３９】
ヘッダ記録領域には，画像ファイルの管理データ等のヘッダ情報が記録される。この実施例においては，上述したように，ヘッダ記録領域には，カテゴリを表すデータ，シーンを表すデータ，関連度を表すデータが記録される。さらに，ヘッダ記録領域には画像データ記録領域に記録されている画像データの撮影日時を表すデータも記録される。ディジタル・スチル・カメラ１に設けられている時計（図示略）を用いて，撮影日時を表すデータが得られよう。
【００４０】
図８から図11は，被写体像の一例である。図８から図11においては，それぞれの被写体像のカテゴリ，シーン，関連度も示されている。
【００４１】
図８は，山と川とが含まれている被写体像51である。このような被写体像51においては，カテゴリとして「第１の風景」が付与されており，シーンとして「風景」，「空」，「紅葉」が付与されている。「風景」シーンの関連度は「３」であり，「空」シーンおよび「紅葉」シーンの関連度は「１」である。これらのカテゴリ等を表すデータが被写体像51を表す画像データが格納されている画像ファイルのヘッダ記録領域に記録されている。
【００４２】
図９は，人物がアイスクリームを持っている被写体像52である。この被写体像52においては，「生物」カテゴリ，「人物」シーン，および関連度「３」ならびに「物」カテゴリ，「料理」カテゴリ，および関連度「２」が付与されている。
【００４３】
図10は，人物が温泉につかっている被写体像53である。この被写体像53においては，「第１の風景」カテゴリ，「風景」シーン，および関連度「２」ならびに「生物」カテゴリ，「人物」シーン，および関連度「３」が付与されている。
【００４４】
図11は，自動車の前に犬がいる被写体像54である。この被写体像54においては「物」カテゴリ，「乗り物」シーン，および関連度「３」ならびに「生物」カテゴリ，「ペット」シーン，および関連度「３」が付与されている。
【００４５】
このように，被写体像にはカテゴリ，シーン，関連度が付与されている。また，上述した被写体像には撮影日時データも付与されているのはいうまでもない。
【００４６】
図12は，表示画面の表示領域とカテゴリに応じた表示領域と関連度に応じた表示領域との関係を示している。
【００４７】
表示画面の表示領域70の中心ｃを含む比較的大きな領域75には，主画像が表示される。表示領域70は，２本の対角線Ｌ１およびＬ２によって領域71，72，73および74に４分割されている。これらの４つの領域71，72，73および74は，被写体像のカテゴリに対応した領域である。第１のカテゴリ領域71は「生物」カテゴリ，第２のカテゴリ領域72は「風景１」のカテゴリ，第３のカテゴリ領域73は「風景２」カテゴリ，第４のカテゴリ領域74は「物」カテゴリをそれぞれもつ被写体像が表示されるものであるが，主画像のカテゴリと同じカテゴリをもつ被写体像（このような被写体像を後述のように関連画像という）が，それぞれ対応するカテゴリ領域に表示される。たとえば，主画像のカテゴリが「生物」カテゴリのみをもつものであれば，第１のカテゴリ領域71にのみ関連画像が表示される。同様に，主画像のカテゴリが「生物」カテゴリおよび「物」カテゴリをもつものであれば，第１のカテゴリ領域71または第２のカテゴリ領域74に関連画像が表示されるようになる。主画像が２つのカテゴリをもち，かつそれらの２つのカテゴリと同じ２つのカテゴリをもつ被写体像の場合には，それらの２つのカテゴリに対応する領域が隣接していれば，領域の境界部分に被写体像は配置され，それらの２つのカテゴリに対応する領域が隣接していなければ，関連度が大きいシーンが属しているカテゴリの領域に配置されるであろう。
【００４８】
さらに，表示領域70は，中心が一致し，異なる大きさの複数の楕円Ｃ１，Ｃ２，およびＣ３によって楕円領域76，楕円環領域77，および78ならびに楕円外領域79が規定されている。楕円領域79は，主画像が関連画像によって見えなくなるのを未然に防止するために関連画像が表示されない関連画像表示禁止領域である。関連画像の中心が関連画像表示禁止領域76内に入らなければよい（関連画像の一部でも禁止領域76に入らないようにしてもよい）。楕円環領域77，および78ならびに楕円外領域79は，関連度に応じて関連画像が表示される領域であり，関連度が高いほど内側の領域に関連画像が表示される。これらの領域77，78，79に関連度に応じて関連画像の中心が位置決めされる。複数の関連度が規定されている被写体像については，上述のようにして決定されるカテゴリに対応する関連度にしたがって表示位置が決定される。もちろん，複数の関連度がある場合に関連度の重み付けを算出し，算出された重み付けにしたがって表示位置が決定されてもよいのはいうまでもない。
【００４９】
図13は，再生処理手順を示すフローチャートである。図14から図16は，表示画面に表示される表示画像の一例である。
【００５０】
再生モードに設定され，ユーザによって主画像が選択される（ステップ61）。選択された主画像が主画像表示領域に表示される（ステップ62）。
【００５１】
図14は，主画像が主画像表示領域に表示されている表示画像である。
【００５２】
表示画像80の中心部分の主画像表示領域74に主画像81が表示されている。このように，選択された主画像81が大きく表示される。
【００５３】
図13に戻って，選択された主画像のカテゴリ，シーン，関連度をそれぞれ表すデータが主画像の画像ファイルのヘッダ記録領域から読み取られる（ステップ63）。続いて，読み取られたシーンと同じシーンをもつ画像（関連画像）を表す画像データがメモリ・カードから読み取られる（ステップ64）。読み取られた画像データから縮小画像が生成される（画像ファイルのヘッダ記録領域に縮小画像データが格納されていれば，その縮小画像データを利用してもよい）（ステップ65）。
【００５４】
関連画像に付与されているカテゴリ，シーン，関連度をそれぞれ表すデータが読み取られ（ステップ66），それぞれ読み取られたデータによって決定される位置に，関連画像の縮小画像が表示される（ステップ67）。
【００５５】
図15は，主画像と関連画像とが表示されている表示画像を示している。
【００５６】
表示画像91のほぼ中心に大きく，上述した主画像81が表示されている。この主画像81を囲むように関連画像の縮小画像100が表示されている。これらの縮小画像100は，上述したように，主画像81のカテゴリと同じカテゴリをもつものが，上述したように関連度にもとづいて決定される位置に表示される。
【００５７】
図16は，主画像と関連画像とが表示されている表示画像の一例であるが，多くの関連画像が表示されている表示画像を示している。
【００５８】
表示画像110には主画像81が含まれている。この主画像81の回りに多数の関連画像111が表示されている。多数の関連画像がある場合，上述したように，カテゴリ等によって表示位置が決定されると，完全に重なる位置に複数駒の関連画像が表示されてしまうことがある。図16に示す表示画像81においては完全に重なる位置に複数駒の関連画像が表示されてしまう場合には，撮影日時の新しい関連画像が上となるように，かつ関連画像が少しずれるように表示される。たとえば，関連画像111と関連画像112とは上述したようにカテゴリ等により配置位置が決定されると，画像同士が完全に重なってしまう。関連画像111よりも関連画像112の方が撮影日時が新しいものとする。このために，関連画像111上に関連画像112が少しずれて表示されている。
【００５９】
図13に戻って，上述したように，カテゴリ等により配置位置が決定された場合に重なる関連画像があるかどうかが確認される（ステップ67）。重なる関連画像がある場合には（ステップ68でＹＥＳ），上述したように撮影日時が最近のものが上に重なるように，かつ少しずらすように関連画像の表示位置が調整される（ステップ69）。
【図面の簡単な説明】
【００６０】
【図１】ディジタル・スチル・カメラの背面図である。
【図２】ディジタル・スチル・カメラの電気的構成を示すブロック図である。
【図３】カテゴリとシーンとを示すテーブルである。
【図４】表示画面に表示される画像の一例である。
【図５】表示画面に表示される画像の一例である。
【図６】表示画面に表示される画像の一例である。
【図７】画像ファイル構造を示している。
【図８】被写体像の一例である。
【図９】被写体像の一例である。
【図１０】被写体像の一例である。
【図１１】被写体像の一例である。
【図１２】表示画面の表示領域を示している。
【図１３】再生処理手順を示すフローチャートである。
【図１４】表示画面に表示される画像の一例である。
【図１５】表示画面に表示される画像の一例である。
【図１６】表示画面に表示される画像の一例である。
【符号の説明】
【００６１】
１  ディジタル・スチル・カメラ
２  表示画面
10  制御回路
16  表示制御回路
17  表示装置
81  主画像
100，111，112，113  関連画像
【図１】
2007279174.tif 000003
【図２】
2007279174.tif 000004
【図３】
2007279174.tif 000005
【図４】
2007279174.tif 000006
【図５】
2007279174.tif 000007
【図６】
2007279174.tif 000008
【図７】
2007279174.tif 000009
【図８】
2007279174.tif 000010
【図９】
2007279174.tif 000011
【図１０】
2007279174.tif 000012
【図１１】
2007279174.tif 000013
【図１２】
2007279174.tif 000014
【図１３】
2007279174.tif 000015
【図１４】
2007279174.tif 000016
【図１５】
2007279174.tif 000017
【図１６】
2007279174.tif 000018